(57)【要約】【課題】この発明は、簡易な構成で、双方の竿杆の継合部位に対して挿脱力を均一的に付与し得るようにして、簡便にして容易な挿脱操作を実現することにある。【解決手段】第１及び第２の竿杆１０，１１の外周壁より略同外径寸法Ｄを有して膨出され、且つ、相互間がＬ2寸法の間隙を有して対向配置される先側及び元側竿杆把持部１４，１３を設け、この先側及び元側竿杆把持部１４，１３を両手で把持して挿脱操作することで、第１及び第２の竿杆１０，１１の双方に均一的に挿脱力が付与されるように構成した。【選択図】      図３
2006180719.tif 000002
【特許請求の範囲】
【請求項１】
竿杆を継合してなる魚釣用釣竿において、
前記竿杆の継合部の前後の竿外径が異なり、継合される一方の竿杆の外周壁に、その継合領域の一端より他端方向における該継合領域内に、該一方の竿杆の周壁より膨出される第１の竿杆保持部を設け、且つ、前記継合される他方の竿杆の継合領域から離間された外周壁に、該他方の竿杆の周壁より膨出され、前記第１の竿杆保持部と略同外径寸法を有する第２の竿杆保持部を設けたことを特徴とする魚釣用釣竿。
【請求項２】
前記竿杆は、並継あるいは逆並継構造で継合されることを特徴とする請求項１記載の魚釣用釣竿。
【請求項３】
前記第１の竿杆保持部と前記第２の竿杆保持部とは、前記竿杆の継合状態において、３ｍｍ〜１２ｍｍの間隙を有して配置されることを特徴とする請求項１又は２記載の魚釣用釣竿。
【請求項４】
前記第１及び第２の竿杆保持部の少なくとも一方の外周壁に周方向に沿って滑り止め部が設けられることを特徴とする請求項１乃至３のいずれか記載の魚釣用釣竿。
【請求項５】
前記第１及び第２の竿杆保持部の少なくとも一方は、糸巻き・糸止めにより形成されることを特徴とする請求項４記載の魚釣用釣竿。
【請求項６】
前記第１及び第２の竿杆保持部は、双方とも糸巻き・糸止めにより形成され、一方が他方に比して糸巻きの重ね巻き数が多く施されることを特徴とする請求項４記載の魚釣用釣竿。
【請求項７】
前記糸巻きは、密糸巻き部と疎糸巻き部を形成してなることを特徴とする請求項５又は６記載の魚釣用釣竿。
【請求項８】
前記第１及び第２の竿杆保持部は、少なくとも互いの離間された端部に面取りが形成されることを特徴とする請求項１乃至７のいずれか記載の魚釣用釣竿。
【発明の詳細な説明】
【技術分野】
【０００１】
この発明は、例えば二本継、三本継の並継又は逆並継構造の魚釣用釣竿に関する。
【背景技術】
【０００２】
一般に、ルアーを用いる釣り形態においては、ルアーロッドと称する釣竿が用いられている。このような魚釣用釣竿は、その釣り形態から比較的、細い異なる径の竿杆を、周知の並継あるいは逆並継の継構造で、二本継や三本継の継数で継合させた竿杆構成を有するものがある。
【０００３】
ところで、このような魚釣用釣竿にあっては、釣り場において、細い異なる径の竿杆を継合させたり、その継合を解除させたりする、いわゆる挿脱操作が行われることで、例えば実釣時に、その継合部位に海水や水が侵入して、竿杆同士が強く継合してしまうと、その挿脱操作が困難となる虞を有する。
【０００４】
そこで、このような魚釣用釣竿においては、例えば大径側竿本体の継合部位の周囲面と、小径側竿本体の継合部位から離間された部位の周囲面に沿って、滑り止め溝を形成した複数の直線形状の滑り止め用肉盛層を、所定の間隔に設けて、この双方の肉盛部を両手で掴んで竿本体の挿脱操作の容易化を図るようにしたものが提案されている（例えば,特許文献１参照。）。
【特許文献１】特開平２−１１１２６８号公報
【発明の開示】
【発明が解決しようとする課題】
【０００５】
しかしながら、上記魚釣用釣竿では、細径側の竿杆本体の肉盛部と太径側の竿杆本体の肉盛部を両方の手で握り、挿脱操作が行われると、その滑りが防止されて、周方向に比較的強い力を付与した操作が可能であるが、その継合部位における双方の竿杆本体に対して均一的に力を加えることが困難な構造のため、その挿脱操作性が劣るという不都合を有する。すなわち、太径側の竿杆本体の肉盛部に加える力よりも、細径側の竿杆本体の肉盛部に加える力を大きくしないと、挿脱がしにくいからである。
【０００６】
この発明は上記の事情に鑑みてなされたもので、簡易な構成で、双方の竿杆の継合部位に対して挿脱力を均一的に付与し得るようにして、簡便にして容易な挿脱操作を実現した魚釣用釣竿を提供することを目的とする。
【課題を解決するための手段】
【０００７】
この発明は、竿杆を継合してなる魚釣用釣竿において、前記竿杆の継合部の前後の竿外径が異なり、継合される一方の竿杆の外周壁に、その継合領域の一端より他端方向における該継合領域内に、該一方の竿杆の周壁より膨出される第１の竿杆保持部を設け、且つ、前記継合される他方の竿杆の継合領域から離間された外周壁に、該他方の竿杆の周壁より膨出され、前記第１の竿杆保持部と略同外径寸法を有する第２の竿杆保持部を設けて構成した。
【０００８】
上記構成によれば、竿径の異なる竿杆は、継合されると、その継合領域に配される第１の竿杆保持部と、その継合領域外に離間配置された第２の竿杆保持部が所定の間隙を有して配置されることにより、これら間隙を有して配置された略同外径寸法の第１及び第２の竿杆保持部を,両手で把持して挿脱操作を行うことが可能となる。これにより、竿径の異なる竿杆の双方の継合部に対して均一的な挿脱力を付与することが可能となり、簡便にして容易な竿杆の挿脱操作を行うことが可能となる。
【発明の効果】
【０００９】
この発明によれば、簡易な構成で、双方の竿杆の継合部位に対して挿脱力を均一的に付与し得るようにして、簡便にして容易な挿脱操作を実現した魚釣用釣竿を提供することができる。
【発明を実施するための最良の形態】
【００１０】
以下、この発明の実施の形態について、図面を参照して詳細に説明する。
【００１１】
図１は、この発明の一実施の形態に係る魚釣用釣竿の外観構成を示すもので、トップ節を構成する第１の竿杆１０には、その基端部に例えばバット節を構成する大径の第２の竿杆１１が並継構造の継合部１２を介して継合されて連設される。
【００１２】
このうち第１の竿杆１０には、その先端に、例えば金属材料で形成されるトップガイド１０１が設けられ、このトップガイド１０１と上記継合部１２との間には、例えば金属材料のフレームとセラミックスからなるリングで形成される複数の固定ガイド１０２が所定の間隔に配置されて糸巻き等の手法により固定配置される。他方、第２の竿杆１１には、その継合部１２に続いて例えば固定ガイド１１１、フォアグリップ１１２、リールシート１１３、第１のリアグリップ１１４及び第２のリアグリップ１１５が順に所定の間隔を有して配置される。
【００１３】
上記第１及び第２の竿杆１０，１１は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した、例えば中空竿杆で形成される。
【００１４】
ここで、上記第１及び第２の竿杆１０，１１の継合部１２は、図２に示すように継合領域Ｌ（軸方向の長さ寸法）を有し、その第２の竿杆１１には、その外周壁の継合領域Ｌの先端側の一端より軸方向の寸法Ｌ1（例えば２０ｍｍ〜５０ｍｍ）の部位までの間に、外径寸法Ｄ（図３参照）を有する元側竿杆保持部１３が設けられる。この元側竿杆保持部１３は、第２の竿杆１１の玉口補強も兼ねる。
【００１５】
また、第１の竿杆１０には、その外周壁に継合領域Ｌから寸法Ｌ2（例えば３ｍｍ〜１２ｍｍ）の間隙を取った部位から同様に寸法Ｌ1（例えば２０ｍｍ〜５０ｍｍ）までの間に、略同外径寸法Ｄを有した先側竿杆保持部１４が設けられる。このように、第１及び第２の竿杆１０，１１は、異なる径を有しているが、その継合部位に略同外径寸法Ｄの先側及び元側竿杆保持部１４，１３が寸法Ｌ2の間隙を有して設けられていることにより、その継合状態で、第１の竿杆１０と第２の竿杆１１との径差が目立たず、良好な視認性を得ることができる。
【００１６】
上記構成により、第１及び第２の竿杆１０，１１は、その略同外径寸法Ｄを有し、且つ、間隙Ｌ2を有して配置される先側及び元側竿杆保持部１４，１３を、釣り人が把持して相互間の挿脱操作が行われる。ここで、釣り人は、その指が分離配置され,且つ略同外径寸法Ｄを有した先側及び元側竿杆保持部１４，１３に対して前後の段差部による引っ掛かりができて、その各継合部１２に対して均一的に挿脱力を付与することができることにより、その継合部１２を容易に挿脱することができる。特に、継合状態において、挿脱する際、強固に継合してしまったような場合には、簡便にして容易に挿脱することができる。
【００１７】
これら第１及び第２の竿杆１０，１１の先側及び元側竿杆保持部１４，１３は、例えば高発砲ポリウレタン樹脂、発砲ウレタン樹脂、ゴム、エラストマー、コルク等の弾性体や糸巻き・糸止め等により,第１及び第２の竿杆より膨出され、且つ、その平均外径寸法が±１０％の範囲内で同寸法となる如く略同外径寸法に形成される。ここで、平均外径とは、先側及び元側竿杆保持部１４，１３の長さ寸法Ｌ1の略中央位置の外径をいう。
【００１８】
なお、第１及び第２の竿杆１０，１１の先側及び元側竿杆保持部１４，１３を樹脂のみで肉盛する如く形成する場合には、例えばセラミック粒子等の耐磨耗材を混入するようにすると、把持性の向上を図ることができる。
【００１９】
上記糸巻き・糸止めを行う場合には、糸材として、綿や麻等の植物繊維、ウールやシルク等の動物繊維、ポリエステル、ナイロン、アクリル、ポリプロピレン等の化学繊維等を用いて、図４に示すように肉厚となる先側竿杆保持部１４が糸材１５を２重巻きして形成し、肉薄な元側竿杆保持部１３が糸材１５を１重巻きして異なる巻き数で形成する。例えば、糸材１５として、綿糸を用いる場合には、２０番、３０番、５０番等の巻糸が使用され、その番数を先側及び元側竿杆保持部１４，１３に応じて選択的に代えるようにしても良い。また、巻糸以外にも、網糸を巻き付けるようにしても良い。
【００２０】
そして、このように糸巻きを施した上には、ＵＶ（アクリル）樹脂やエポキシ樹脂等の糸止め剤が複数回塗り重ねられて糸止めが施され、所望の外径寸法に形成される。この糸止め剤として透明なものを用いて糸材の色を出すようにしたり、あるいは、塗料や顔料を混入することで、装飾性を持たせることができる。
【００２１】
また、上記先側及び元側竿杆保持部１４，１３の外周壁には、その軸方向に例えば図５に示すように滑り止め部を構成する複数のリング状の線状溝１４１，１３１が所定の間隔に形成され、この複数の線状溝１４１，１３１により、釣り人が把持した手の軸方向の滑りが防止される。これにより、第１及び第２の竿杆１０，１１の先側及び元側竿杆保持部１４，１３を把持した釣り人の手は、軸方向への滑りが防止され、安定した挿脱操作が実現される。
【００２２】
さらに、これら先側及び元側竿杆保持部１４，１３には、その軸方向の両端部にＲ面取り、Ｃ面取り、傾斜状等の面取りを施した釣糸案内部１４２，１３２（図３及び図４参照）が設けられる。これにより、これら先側及び元側竿杆保持部１４，１３は、その釣糸案内部１４２，１３２の作用により、釣り操作時において釣糸が継合部１２に引っ掛かることが確実に防止される。
【００２３】
なお、この釣糸案内部１４２，１３２は、少なくとも先側竿杆保持部１４の先端側端部及び元側竿杆保持部１３の元竿側端部に設けることで、略同様の効果が期待される。
【００２４】
このように、上記魚釣用釣竿は、第１及び第２の竿杆１０，１１の外周壁より略同外径寸法Ｄを有して膨出され、且つ、相互間がＬ2寸法の間隙を有して対向配置される先側及び元側竿杆保持部１４，１３を設け、この先側及び元側竿杆保持部１４，１３を両手で把持して挿脱操作することで、第１及び第２の竿杆１０，１１の双方に均一的に挿脱力が付与されるように構成した。
【００２５】
これによれば、第１及び第２の竿杆１０，１１が強固に継合してしまったような場合においても、相互の継合部１２に対して挿脱力を均一的に加えることができることで、例えば第１及び第２の竿杆１０，１１の固定ガイド１０２，１１１を掴んだりすることなく、比較的、容易に挿脱することができる。従って、釣り場において、安定した竿杆の挿脱操作を実現したうえで、その挿脱操作に伴う第１及び第２の竿杆１０，１１の固定ガイド１０２，１１１の破損を含む損傷を防止することができる。
【００２６】
なお、上記実施の形態では、先側及び元側竿杆保持部１４，１３の外周壁の軸方向に、複数のリング状の線状溝１４１，１３１を所定の間隔に配して、軸方向の滑りを防止するように構成した場合について説明したが、これに限ることなく、その他、例えば図６及び図７に示すように構成しても、略同様の効果が期待される。但し、これら図６及び図７においては、説明の便宜上、上記図１乃至図５と同一部分について、同一符号を付して、その詳細な説明を省略する。
【００２７】
先ず、図６の実施の形態は、上記先側及び元側竿杆保持部１４，１３の外周壁の軸方向に、滑り止め部を構成する複数のリング状の凹部１４１ａ，１３１ａを所定の間隔に設け、この複数のリング状の凹部１４１ａ，１３１ａで釣り人が握った手の軸方向の滑りを防止するように構成した。
【００２８】
また、図７の実施の形態は、上記先側及び元側竿杆保持部１４，１３に対して滑り止め部として、糸材１５を密に巻いた密糸巻き部１５１及び疎に巻いた疎糸巻き部１５２を交互に位置するように巻き付けて形成し、その密糸巻き部１５１及び疎糸巻き部１５２で釣り人が握った手の軸方向の滑りを防止するように構成した。
【００２９】
さらに、上記実施の形態では、先側竿杆保持部１４と元側竿杆保持部１３を同材料で形成するように構成した場合で説明したが、これに限ることなく、例えば先側及び元側竿杆保持部１４，１３のいずれか一方を、糸材１５を巻き付けた糸巻き・糸止めを施して形成し、他方を上述した弾性体を積重する如く被着するように構成しても良い。
【００３０】
また、上記各実施の形態では、釣竿構造としては、並継構造に適用した場合について説明したが、その他、逆並継構造においても適用可能である。この逆並継構造の釣竿構造の場合には、小径側の竿杆に上記元側竿杆保持部１３と同様の竿杆保持部を配し、大径側の竿杆に上記先側竿杆保持部１４と同様の竿杆保持部を配するように構成される。
【００３１】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３２】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３３】
【図１】この発明の一実施の形態に係る魚釣用釣竿の外観構成を示した平面図である。
【図２】図１の第１及び第２の竿杆の継合部の詳細を示した断面図である。
【図３】図２の要部を拡大して示した断面図である。
【図４】図２の先側及び元側竿杆保持部を糸巻き・糸止めで形成した場合を説明するために示した断面図である。
【図５】図２の先側及び元側竿杆保持部の外観構成を示した平面図である。
【図６】この発明の他の実施の形態に係る魚釣用釣竿の要部構成を示した平面図である。
【図７】この発明の他の実施の形態に係る魚釣用釣竿の要部構成を示した平面図である。
【符号の説明】
【００３４】
１０…第１の竿杆、１０１…トップガイド、１０２…固定ガイド、１１…第２の竿杆、１１１…固定ガイド、１１２…フォアグリップ、１１３…リールシート、１１４…第１のリアグリップ、１１５…第２のリアグリップ、１２…継合部、１３…元側竿杆保持部、１３１…線状溝、１３１ａ…凹部、１４…先側竿杆保持部、１４１…線状溝、１４１ａ…凹部、１５…糸材、１５１…密糸巻き部、１５２…疎糸巻き部。
【図１】
2006180719.tif 000003
【図２】
2006180719.tif 000004
【図３】
2006180719.tif 000005
【図４】
2006180719.tif 000006
【図５】
2006180719.tif 000007
【図６】
2006180719.tif 000008
【図７】
2006180719.tif 000009